(57)【特許請求の範囲】
【請求項１】
下記一般式（１）
【化１】
0003549815.tif 000012
［式中、Ｒ1は炭素数４〜２４の炭化水素基、Ｒ2はＨまたは炭素数４〜２４の炭化水素基、ＸはＨ、アルカリ金属またはアミンカチオン、ｍは１〜４、ｎは０〜２の整数を示す。］で示される等電点が７を超える両性界面活性剤（Ａ）、等電点が７以下の両性界面活性剤（Ｂ）、非イオン界面活性剤（Ｃ）およびシリコーンオイル（Ｄ）からなるペット用殺菌消臭清拭剤水溶液組成物。
【請求項２】
請求項１記載のペット用殺菌消臭清拭剤水溶液組成物の１重量％水溶液のｐＨが（Ａ）と（Ｂ）の各等電点の間にあるペット用殺菌消臭清拭剤水溶液組成物。
【請求項３】
（Ｂ）が下記（Ｂ１）、（Ｂ２）および（Ｂ３）からなる群から選ばれる１種または２種以上である請求項１記載のペット用殺菌消臭清拭剤水溶液組成物。
（Ｂ１）：下記一般式（２）で示されるアミノ酸（塩）型両性界面活性剤
【化２】
0003549815.tif 000013
（Ｂ２）：下記一般式（３）で示される第４級アンモニウムカルボン酸型両性界面活性剤
【化３】
0003549815.tif 000014
［式中、Ｒ3、Ｒ4は炭素数が４〜２２の炭化水素基、Ｒ5はＨ、炭素数が１〜３の炭化水素基または炭素数が１〜３のヒドロキシアルキル基、ＸはＨ、アルカリ金属またはアミンカチオン、ｍは１〜４、ｎは０〜２、ｐ、ｑ、ｒは１〜５、ｓは０または１の整数を示す。］
（Ｂ３）：イミダゾリン型第４級アンモニウムカルボン酸型両性界面活性剤
【発明の詳細な説明】
【０００１】
【発明の属する技術分野】
本発明はペット用殺菌消臭清拭剤水溶液組成物に関する。更に詳しくは、布・不織布・紙などに浸み込ませ犬・猫等のペットを拭くなどの清拭剤として好適に使用することができるペット用殺菌消臭清拭剤水溶液組成物に関する。
【０００２】
【従来の技術】
従来、両性界面活性剤を用いた消臭・防臭剤としては両性界面活性剤にコラーゲンおよびキトサンを結合させ、洗浄剤を配合した皮膚殺菌防臭性洗剤（特開平８−９９８６５号公報）、陽イオン界面活性剤、両性界面活性剤、非イオン界面活性剤および穀物の熱水抽出エキスを含有する抗菌消臭剤（特開平８−１７５９０５号公報）および特定の両性界面活性剤と茶葉抽出物との配合物（特開平４−１７８５７号公報）などが知られている。
【０００３】
【発明が解決しようとする課題】
しかしながら、これらの消臭・防臭剤では臭いが充分にはとれず、防臭効果の持続性も低いという問題を有している。また、犬、猫などのペットの清拭剤として用いた場合は拭いた後のブラッシングにおいて櫛通りが悪いという問題がある。
本発明は、清拭することにより対象物の臭いをとり、かつ臭いの発生を長期に亘り抑え、またペットなどを拭いた後のブラッシングにおいて櫛通りがよくなる清拭剤組成物を提供することを目的とする。
【０００４】
【課題を解決するための手段】
本発明者らは、上記課題を解決するペット用殺菌消臭清拭剤水溶液組成物を得るべく鋭意検討した結果、本発明に到達した。すなわち本発明は、下記一般式（１）
【０００５】
【化４】
0003549815.tif 000002
【０００６】
［式中、Ｒ1は炭素数４〜２４の炭化水素基、Ｒ2はＨまたは炭素数４〜２４の炭化水素基、ＸはＨ、アルカリ金属またはアミンカチオン、ｍは１〜４、ｎは０〜２の整数を示す。］で示される等電点が７を超える両性界面活性剤（Ａ）、等電点が７以下の両性界面活性剤（Ｂ）、非イオン界面活性剤（Ｃ）およびシリコーンオイル（Ｄ）からなるペット用殺菌消臭清拭剤水溶液組成物である。
【０００７】
【発明の実施の形態】
本発明における両性界面活性剤（Ａ）としては、米国特許第３，９２９，６７８号明細書に記載の両性界面活性剤のうち、等電点が７を超えるものが挙げられ、（Ａ）を表す一般式（１）において、Ｒ１は炭素数が４〜２４（好ましくは６〜１８）の炭化水素基、たとえば直鎖もしくは分岐の脂肪族炭化水素（アルキル、アルケニル、アルカジエニルなど）基、脂環式炭化水素（シクロアルキル、シクロアルケニルなど）基、芳香族（単環、多環および縮合環）炭化水素基および芳香脂肪族炭化水素基である。Ｒ２はＨまたは上記Ｒ１と同様の炭化水素基である。ＸはＨ、アルカリ金属またはアミンカチオン、ｍは１〜４（好ましくは１〜２）、ｎは０〜２（好ましくは０または１）の整数を示す。
【０００８】
Ｒ１およびＲ２の直鎖もしくは分岐の脂肪族炭化水素基としてはアルキル（ブチル、ヘキシル、オクチル、２−エチルヘキシル、デシル、ラウリル、ミリスチル、パルミチルおよびステアリルなど）基、アルケニル（ブテニル、ヘキセニル、オクテニル、デセニル、ドデセニル、テトラデセニル、ヘプタデセニルおよびオクタデセニルなど）基、アルカジエニル（ブタジエニル、ヘキサジエニル、オクタジエニル、デカジエニル、ドデカジエニル、テトラデカジエニル、ヘプタデカジエニルおよオクタデカジエニルなど）基およびこれらの混合物（ヤシ油アルキル基、ヤシ油脂肪酸残基など）が挙げられる。
脂環式炭化水素基としてはシクロアルキル（シクロペンチル、シクロヘキシルなど）基およびシクロアルケニル（シクロペンテニル、シクロヘキセニルなど）基が挙げられる。
芳香族炭化水素基としては単環（フェニル、トルイル、キシリル、クメニル、メシチルなど）基、多環（ビフェニリル、パラ−ベンジルフェニル、ビベンジリルなど）基および縮合環（インデニル、ナフタレニル、アントラセニルなど）基などが挙げられる。
芳香脂肪族炭化水素基としてはベンジル基およびフェネチル基などが挙げられる。
これらのうち好ましいのは直鎖もしくは分岐の脂肪族炭化水素基であり、より好ましいのはアルキル基、さらに好ましいのはラウリル基、ミリスチル基およびとくにオクチル基、ヤシ油アルキル基である。
【０００９】
ＸはＨ、アルカリ金属（Ｌｉ、Ｎａ、Ｋなど）またはアミンカチオンであり、好ましいのはＨおよびアルカリ金属、さらに好ましいのはアルカリ金属、とくにＮａおよびＫである。
【００１０】
上記アミンカチオンを構成するアミンとしては、１、２または３級アミンのいずれでもよく、脂肪族（炭素数１〜１２）アミン、脂環式（炭素数４〜１２）アミン、芳香（脂肪）族（炭素数６〜１２）アミン、複素環（炭素数５〜１２）アミンおよびこれらの混合物が挙げられる。
脂肪族アミンとしては、モノアミン〔モノ−、ジ−およびトリ−アルキルアミン（メチルアミン、エチルアミン、ブチルアミン、オクチルアミン、２−エチルヘキシルアミン、ドデシルアミンなど）およびアルカノール（ヒドロキシアルキルの炭素数２〜６）アミン（モノエタノールアミンおよびジエタノールアミンなど）など〕；ジアミン〔アルキレンジアミン（エチレンジアミン、トリメチレンジアミン、テトラメチレンジアミンおよびヘキサメチレンジアミンなど）；３価〜５価またはそれ以上のポリアミン〔ポリ（ｎ＝３〜８）アルキレン（炭素数１〜８）ポリ（２〜８）アミン（ジエチレントリアミンおよびトリエチレンテトラミンなど）；およびこれらのアルキルおよび／またはヒドロキシアルキル置換体などが挙げられる。
【００１１】
脂環式アミンとしては、モノアミン（シクロブチルアミン、シクロペンチルアミンおよびシクロヘキシルアミンなど）およびジアミン（１，４−シクロヘキサンジアミン、イソホロンジアミンおよびジシクロヘキシルメタンジアミンなど）などが挙げられる。
【００１２】
芳香（脂肪）族アミンとしては、モノアミン（アニリン、ｏ−、ｍ−およびｐ−トルイジン、ジフェニルアミン、α−ナフチルアミンおよびベンジルアミンなど）、ジアミン（１，３−および／または１，４−フェニレンジアミン、２，４−および／または２，６−トリレンジアミンなど）などが挙げられる。
【００１３】
（Ａ）の具体例としては、下記の（ア）、（イ）およびこれらの２種以上の混合物などが挙げられる。
（ア）Ｒ１とＲ２が炭素数６〜１０の直鎖または分岐の炭化水素基、ｍとｎが１または２であるもの
・  ｍ＝ｎ＝１のもの〔Ｎ，Ｎ−ジ（ヘキシルアミノエチル）グリシン、Ｎ，Ｎ−ジ（オクチルアミノエチル）グリシン、Ｎ，Ｎ−ジ（デシルアミノエチル）グリシンおよびＮ，Ｎ−ジ（２−エチルヘキシルアミノエチル）グリシンなど〕
・  ｍ＝ｎ＝２のもの〔Ｎ，Ｎ−ジ（ヘキシルジアミノエチル）グリシン、Ｎ，Ｎ−ジ（オクチルジアミノエチル）グリシン、Ｎ，Ｎ−ジ（デシルジアミノエチル）グリシンおよびＮ，Ｎ−ジ（２−エチルヘキシルジアミノエチル）グリシンなど〕
・  ｍ＝１，ｎ＝２またはｍ＝２，ｎ＝１のもの〔Ｎ−ヘキシルアミノエチル−Ｎ−ヘキシルジ（アミノエチル）グリシン、Ｎ−オクチルアミノエチル−Ｎ−オクチルジ（アミノエチル）グリシン、Ｎ−デシルアミノエチル−Ｎ−デシルジ（アミノエチル）グリシンおよびＮ−２−エチルヘキシルアミノエチル−Ｎ−２−エチルヘキシルジ（アミノエチル）グリシンなど〕
・  上記のアルカリ金属（Ｎａ、Ｋなど）塩、無機酸（塩酸、硫酸、リン酸など）塩および有機酸（カルボン酸、スルホン酸、ホスホン酸など）塩など
・  および上記の２種以上の混合物
【００１４】
（イ）Ｒ１が炭素数１０〜１４の直鎖または分岐の炭化水素基、Ｒ２がＨ、ｍが１〜４の整数、ｎが０であるもの
・  Ｎ−デシルアミノエチルグリシン、Ｎ−デシルジ（アミノエチル）グリシン、Ｎ−デシルトリ（アミノエチル）グリシン、Ｎ−デシルテトラ（アミノエチル）グリシン、Ｎ−ラウリルアミノエチルグリシン、Ｎ−ラウリルジ（アミノエチル）グリシン、Ｎ−ラウリルトリ（アミノエチル）グリシン、Ｎ−ラウリルテトラ（アミノエチル）グリシン、Ｎ−ヤシ油アルキルアミノエチルグリシン、Ｎ−ヤシ油アルキルジ（アミノエチル）グリシン、Ｎ−ヤシ油アルキルトリ（アミノエチル）グリシン、Ｎ−ヤシ油アルキルテトラ（アミノエチル）グリシン、Ｎ−ミリスチルアミノエチルグリシン、Ｎ−ミリスチルジ（アミノエチル）グリシン、Ｎ−ミリスチルトリ（アミノエチル）グリシン、Ｎ−ミリスチルテトラ（アミノエチル）グリシンなど
・  上記のアルカリ金属（Ｎａ、Ｋなど）塩、無機酸（塩酸、硫酸、リン酸など）塩および有機酸（カルボン酸、スルホン酸、ホスホン酸など）塩など
・  および上記の２種以上の混合物
【００１５】
上記（ア）のうち消臭・防臭持続性の観点から好ましいのは、ｍ＝ｎ＝１のもの、さらに好ましいのはＮ，Ｎ−ジ（オクチルアミノエチル）グリシン並びにそのアルカリ金属（Ｎａ、Ｋ）塩および無機酸（塩酸）塩であり、また上記（イ）のうち消臭・防臭持続性の観点から好ましいのは、ｍ＝２、ｎ＝０のもの、さらに好ましいのはＮ−ラウリルジ（アミノエチル）グリシン、Ｎ−ヤシ油アルキルジ（アミノエチル）グリシン、Ｎ−ミリスチルジ（アミノエチル）グリシン、並びにこれらのアルカリ金属（Ｎａ、Ｋ）塩および無機酸（塩酸）塩である。
上記（ア）と（イ）のうちで、消臭・防臭持続性の観点からより好ましいのは（イ）である。
【００１６】
本発明における両性界面活性剤（Ｂ）としては、米国特許第３，９２９，６７８号明細書に記載された両性界面活性剤のうち、等電点が７以下で下記（Ｂ１）、（Ｂ２）およびイミダゾリン型第４級アンモニウムカルボン酸型両性界面活性剤（Ｂ３）からなる群から選ばれる１種または２種以上の混合物、並びにその他の両性界面活性剤（Ｂ４）およびそれらの混合物が挙げられる。
（Ｂ１）：下記一般式（２）で示されるアミノ酸（塩）型両性界面活性剤
【化５】
0003549815.tif 000003
（Ｂ２）：下記一般式（３）で示される第４級アンモニウムカルボン酸型両性界面活性剤
【化６】
0003549815.tif 000004
［式中、Ｒ３、Ｒ４は炭素数が４〜２２の炭化水素基、Ｒ５はＨ、炭素数が１〜３の炭化水素基または炭素数が１〜３のヒドロキシアルキル基、ＸはＨ、アルカリ金属またはアミンカチオン、ｍは１〜４、ｎは０〜２、ｐ、ｑ、ｒは１〜５、ｓは０または１の整数を示す。］
これらのうち好ましいのは（Ｂ１）、（Ｂ２）および（Ｂ３）からなる群から選ばれる１種または２種以上の混合物である。
上記一般式（２）、（３）においてＲ３、Ｒ４としてはＲ１、Ｒ２と同様の炭化水素基が挙げられる。
Ｒ３として好ましいのは炭素数８〜１８の直鎖および分岐の飽和炭化水素（オクチル、デシル、ラウリル、ミリスチル、ヤシ油アルキル、パルミチルおよびステアリル、２−エチルヘキシルおよび２−メチルノニルなど）基であり、さらに好ましいのはラウリル基、ミリスチル基およびヤシ油アルキル基である。
【００１７】
Ｒ４として好ましいのは、ｓが０の場合、炭素数８〜１８の直鎖および分岐の飽和炭化水素（オクチル、デシル、ラウリル、ミリスチル、ヤシ油アルキル、パルミチルおよびステアリル、２−エチルヘキシルおよび２−メチルノニルなど）基であり、さらに好ましいのはデシル基、２−エチルヘキシル基、およびとくにラウリル基、ミリスチル基、ヤシ油アルキル基である。
【００１８】
また、ｓが１の場合、Ｒ４として好ましいのは炭素数８〜１８の直鎖および分岐の飽和炭化水素（オクチル、デシル、ラウリル、ミリスチル、ヤシ油アルキル、パルミチル、ステアリル、２−エチルヘキシルおよび２−メチルノニルなど）基およびヤシ油脂肪酸残基であり、さらに好ましいのはデシル基、２−エチルヘキシル基およびとくにラウリル基、ミリスチル基、ヤシ油脂肪酸残基である。
【００１９】
一般式（３）におけるＲ５はＨ、炭素数１〜３の炭化水素（メチル、エチル、ｎ−およびｉ−プロピル）基または炭素数１〜３のヒドロキシアルキル（ヒドロキシメチル、ヒドロキシエチルおよびヒドロキシプロピルなど）基であり、好ましくはメチル基、ヒドロキシメチル基、およびとくにＨである。
【００２０】
上記一般式（２）で示される（Ｂ１）の具体例としては、オクチルアミノプロピオン酸、デシルアミノプロピオン酸、ラウリルアミノプロピオン酸、ミリスチルアミノプロピオン酸、ヤシ油アルキルアミノプロピオン酸、パルミチルアミノプロピオン酸、ステアリルアミノプロピオン酸、ラウリルアミノ酢酸、ラウリルアミノ酪酸、およびこれらのアルカリ金属（Ｎａ、Ｋなど）塩、無機酸（塩酸、硫酸、リン酸など）塩、有機酸（カルボン酸、スルホン酸、ホスホン酸など）塩など、並びにこれらの２種以上の混合物などが挙げられる。
【００２１】
これらのうち好ましいのはラウリルアミノプロピオン酸、ミリスチルアミノプロピオン酸、ヤシ油アルキルアミノプロピオン酸およびこれらのアルカリ金属（Ｎａ、Ｋなど）塩である。
【００２２】
上記一般式（３）で示される（Ｂ２）において、ｓが０の場合の具体例としては、オクチルジメチルアミノ酢酸ベタイン、２−エチルヘキシルジメチルアミノ酢酸ベタイン、デシルジメチルアミノ酢酸ベタイン、２−メチルノニルジメチルアミノ酢酸ベタイン、ラウリルジメチルアミノ酢酸ベタイン、ヤシ油アルキルジメチルアミノ酢酸ベタイン、ミリスチルジメチルアミノ酢酸ベタイン、パルミチルジメチルアミノ酢酸ベタイン、ステアリルジメチルアミノ酢酸ベタイン、ラウリルジヒドロキシメチルアミノ酢酸ベタインおよびヤシ油アルキルジヒドロキシメチルアミノ酢酸ベタインなどが挙げられる。
これらのうち好ましいのはデシルジメチルアミノ酢酸ベタイン、２−エチルヘキシルジメチルアミノ酢酸ベタイン、およびとくにラウリルジメチルアミノ酢酸ベタイン、ヤシ油アルキルジメチルアミノ酢酸ベタインおよびミリスチルジメチルアミノ酢酸ベタインである。
【００２３】
上記一般式（３）で示される（Ｂ２）において、ｓが１の場合の具体例としては、オクタンアミドプロピルジメチルアミノ酢酸ベタイン、２−エチルヘキサンアミドプロピルジメチルアミノ酢酸ベタイン、デカンアミドプロピルジメチルアミノ酢酸ベタイン、２−メチルノナンアミドプロピルジメチルアミノ酢酸ベタイン、ラウリンアミドプロピルジメチルアミノ酢酸ベタイン、ヤシ油脂肪酸アミドプロピルジメチルアミノ酢酸ベタイン、ミリスチンアミドプロピルジメチルアミノ酢酸ベタインおよび、パルミチンアミドプロピルジメチルアミノ酢酸ベタイン、ステアリンアミドプロピルジメチルアミノ酢酸ベタイン、ラウリンアミドプロピルジヒドロキシメチルアミノ酢酸ベタインおよびヤシ油脂肪酸アミドプロピルジヒドロキシメチルアミノ酢酸ベタインなどが挙げられる。
これらのうち好ましいのはデカンアミドプロピルジメチルアミノ酢酸ベタイン、およびとくにラウリンアミドプロピルジメチルアミノ酢酸ベタイン、ヤシ油脂肪酸アミドプロピルジメチルアミノ酢酸ベタインおよびミリスチンアミドプロピルジメチルアミノ酢酸ベタインである。
【００２４】
イミダゾリン型第４級アンモニウムカルボン酸型両性界面活性剤（Ｂ３）としては、２−アルキル（炭素数６〜２２）−Ｎ−カルボキシアルキル（炭素数１〜３）−Ｎ−ヒドロキシアルキル（炭素数１〜３）イミダゾリニウムベタイン〔２−アルキル（炭素数６〜２２）−Ｎ−カルボキシメチル−Ｎ−ヒドロキシメチルイミダゾリニウムベタイン［２−デシル−Ｎ−カルボキシメチル−Ｎ−ヒドロキシメチルイミダゾリニウムベタイン、２−ラウリル−Ｎ−カルボキシメチル−Ｎ−ヒドロキシメチルイミダゾリニウムベタイン、２−ミリスチル−Ｎ−カルボキシメチル−Ｎ−ヒドロキシメチルイミダゾリニウムベタイン、２−ヤシ油アルキル−Ｎ−カルボキシメチル−Ｎ−ヒドロキシメチルイミダゾリニウムベタインおよび２−パルミチル−Ｎ−カルボキシメチル−Ｎ−ヒドロキシメチルイミダゾリニウムベタインなど］；２−アルキル（炭素数８〜１８）−Ｎ−カルボキシメチル−Ｎ−ヒドロキシエチルイミダゾリニウムベタイン［２−デシル−Ｎ−カルボキシメチル−Ｎ−ヒドロキシエチルイミダゾリニウムベタイン、２−ラウリル−Ｎ−カルボキシメチル−Ｎ−ヒドロキシエチルイミダゾリニウムベタイン、２−ミリスチル−Ｎ−カルボキシメチル−Ｎ−ヒドロキシエチルイミダゾリニウムベタイン、２−ヤシ油アルキル−Ｎ−カルボキシメチル−Ｎ−ヒドロキシエチルイミダゾリニウムベタインおよび２−パルミチル−Ｎ−カルボキシメチル−Ｎ−ヒドロキシエチルイミダゾリニウムベタインなど］およびこれらの混合物など〕が挙げられる。
これらのうち好ましいのは、２−アルキル（炭素数８〜１８）−Ｎ−カルボキシメチル−Ｎ−ヒドロキシエチルイミダゾリニウムベタインとくに２−ヤシ油アルキル−Ｎ−カルボキシメチル−Ｎ−ヒドロキシエチルイミダゾリニウムベタインである。
【００２５】
（Ｂ１）、（Ｂ２）および（Ｂ３）のうち消臭・防臭性の観点から好ましいのは（Ｂ１）および（Ｂ２）である。
【００２６】
その他の両性界面活性剤（Ｂ４）としては、硫酸エステル塩型両性界面活性剤［高級アルキル（炭素数８〜１８）アミンの硫酸エステルナトリウム塩など］、スルホン酸塩型両性界面活性剤（ペンタデシルスルホタウリン、イミダゾリンスルホン酸など）およびリン酸エステル塩型両性界面活性剤［グリセリン高級脂肪酸（炭素数８〜２２）エステル化物のリン酸エステルアミン塩など］などが挙げられる。
これらのうち好ましいものは、リン酸エステル塩型両性界面活性剤である。
【００２７】
上記の（Ｂ１）、（Ｂ２）および（Ｂ３）からなる群から選ばれる１種または２種以上の混合物と（Ｂ４）を併用する場合、両性界面活性剤（Ｂ）の全重量に基づく（Ｂ４）の重量％は、通常５０％以下、好ましくは０〜２０％である。
【００２８】
本発明における両性界面活性剤の等電点は、ｐＨの異なる両性界面活性剤の１重量％水溶液４点以上を作成し、これらの電気伝導率を測定して得られるｐＨ−電気伝導率の相関グラフにおいて最小の電気伝導率を示すｐＨとして定義されるものである。本発明における両性界面活性剤（Ａ）は該等電点が７を超え、好ましくは８〜１０のものであり、両性界面活性剤（Ｂ）は等電点が７以下、好ましくは４〜６のものである。本発明のペット用殺菌消臭清拭剤水溶性組成物はこれら（Ａ）、（Ｂ）両成分からなることにより、臭気成分のｐＨに関わりなく臭気成分を低減させるものであり、臭気成分の効果的な低減の観点からは、本発明のペット用殺菌消臭清拭剤水溶液組成物の好ましいｐＨ（１重量％水溶液）は（Ａ）および（Ｂ）の等電点の間、とくに６〜８である。
【００２９】
本発明で用いられる非イオン界面活性剤（Ｃ）としては、米国特許第４，３３１，４４７号明細書に記載の非イオン界面活性剤のうち、ポリオキシエチレン／ポリオキシアルキレン（アルキレンの炭素数３〜４）グリコール（Ｃ１）、ポリオキシエチレン〔／ポリオキシアルキレン（アルキレンの炭素数３〜４）〕アルキル（炭素数６〜２２）エーテル（Ｃ２）および脂肪酸（炭素数６〜２２）アルカノール（炭素数２〜４）アミド型非イオン界面活性剤（Ｃ３）からなる群から選ばれる１種または２種以上の混合物、その他の非イオン界面活性剤（Ｃ４）、およびこれらの混合物が挙げられる。
これらのうち好ましいのは、（Ｃ１）、（Ｃ２）および（Ｃ３）からなる群から選ばれる１種または２種以上の混合物である。
【００３０】
（Ｃ１）および（Ｃ２）としてはそれぞれ下記一般式（４）および（５）で示されるものが挙げられる。
【００３１】
【化７】
0003549815.tif 000005
【００３２】
【化８】
0003549815.tif 000006
【００３３】
［式中、Ａは炭素数３または４のアルキレン基；Ｒ６は炭素数が１〜２２の直鎖または分岐のアルキル基またはアルケニル基；ｔは１〜２００の数、ｕは２０〜８０の数、ｖは１〜２０の数、ｗは０〜８の数；｛  ｝内の／記号は異種のＡＯの付加形式がブロックおよび／またはランダムのいずれでもよいことを示す。］
【００３４】
上記（Ｃ１）は炭素数２〜４のグリコールにエチレンオキシド（以下ＥＯと略記）および／または炭素数３〜４のアルキレンオキシド（以下ＡＯと略記）［プロピレンオキシド（以下ＰＯと略記）または１，２−、２，３−、１，３−および１，４−ブチレンオキシド］を付加させることにより製造することができる。ＥＯと炭素数３〜４のＡＯの付加形式は、ブロックおよび／またはランダムのいずれでもよいが、好ましくはブロック付加である。ＥＯと炭素数３〜４のＡＯの重量比は通常１０／９０〜９０／１０、好ましくは２０／８０〜８０／２０である。
【００３５】
（Ｃ１）の具体例としては、一般式（４）において、Ａがプロピレン基で、ｕ＝３０、ｔ＝２５；ｕ＝３０、ｔ＝１６０；並びに、ｕ＝３５、ｔ＝４８の各々ＰＯ／ＥＯブロックおよび／またはランダム付加物などが挙げられる。
【００３６】
上記、一般式（５）においてＲ６は炭素数が１〜２２（好ましくは８〜１８）の直鎖または分岐のアルキル基またはアルケニル基である。
Ｒ６の具体例としては、メチル基、エチル基、ｎ−およびｉ−プロピル基およびＲ１で例示したものと同様のものが挙げられる。
これらのうち好ましいのは、オクチル基、デシル基、ミリスチル基、パルミチル基、およびとくに、ラウリル基である。
【００３７】
また、一般式（５）においてＡは炭素数３〜４のアルキレン基で、好ましくはプロピレン基である。また、ｖはＥＯの付加モル数を表し、ｗはＡＯの付加モル数を表す。ｖは通常１〜２０（好ましくは５〜１５）、ｗは０〜８（好ましくは０〜３）の数を表す。
ＥＯと炭素数３〜４のＡＯの付加形式は、ブロックおよび／またはランダムのいずれでもよいが、好ましくはブロック付加である。ＥＯと炭素数３〜４のＡＯの重量比は通常１／９〜１０／０、好ましくは２／８〜１０／０である。
【００３８】
（Ｃ２）の具体例としては高級（炭素数６〜２２）アルコール〔デシルアルコール、ラウリルアルコール（ラウリルアルコールを主体とする混合物、例えばヤシ油アルコールも含む）、ミリスチルアルコール、パルミチルアルコール、ステアリルアルコールおよびオレイルアルコールなど〕のＥＯ−ＰＯブロック〔（２〜２０モル）−（１〜８モル）〕順次付加物、ＥＯ（２〜２０モル）付加物、ＰＯ−ＥＯブロック〔（１〜８モル）−（２〜２０モル）〕順次付加物およびＥＯ／ＰＯランダム〔（２〜２０モル）／（１〜８モル）〕付加物などが挙げられる。これらのうち好ましいのは、ヤシ油アルコールのＥＯ−ＰＯブロック（１２−２モル）順次付加物、ラウリルアルコールのＥＯ８モル付加物、ラウリルアルコールのＥＯ／ＰＯランダム（１０／１モル）付加物、およびさらに好ましいのはヤシ油アルコールのＥＯ９モル付加物である。
【００３９】
脂肪酸アルカノールアミド型非イオン界面活性剤（Ｃ３）としては、脂肪酸（炭素数６〜２２、たとえばラウリン酸、ヤシ油脂肪酸、オレイン酸）アルカノール（炭素数２〜４のモノアルカノール、およびジアルカノール）アミド（ラウリン酸モノ−およびジ−エタノールアミド、ヤシ油脂防酸モノ−およびジ−エタノールアミドなど）、およびポリ（ｎ＝２〜５）オキシアルキレン（炭素数２〜４）脂肪酸（前記例示のもの）アルカノール（前記例示のもの）アミド〔ポリ（ｎ＝２）オキシエチレンヤシ油脂肪酸モノ−およびジ−エタノールアミド、ポリ（ｎ＝３）オキシエチレンオレイン酸モノ−およびジ−エタノールアミドなど〕など米国特許第４，３３１，４４７号明細書に記載のものが使用できる。
これらのうち洗浄性の観点から好ましいのは、脂肪酸アルカノールアミド、さらに脂防酸ジエタノールアミド、とくにヤシ油脂防酸ジエタノールアミドである。
【００４０】
上記（Ｃ３）におけるアルキレンオキシド付加物のうち好ましいのは、ＥＯ単独付加物およびＥＯとＰＯの混合（ランダムおよび／またはブロック）付加物である。ＥＯ／ＰＯ混合付加の場合の全ＡＯ中のＥＯ含量は、シリコーンオイルの可溶化性の観点から好ましくは５０重量％以上である。また、アルキレンオキシドの付加モル数は前記と同様の観点から好ましくは１〜１０モル、さらに好ましくは１〜５モルである。
【００４１】
その他の非イオン界面活性剤（Ｃ４）としては、アルキル（炭素数６〜２２）フェノールのＥＯ（５〜２０モル）付加物〔ポリ（ｎ＝９）オキシエチレンノニルフェニルエーテル、ポリ（ｎ＝１２）オキシエチレンドデシルフェニルエーテルおよびポリ（ｎ＝８）オキシエチレンオクチルフェニルエーテルなど〕、脂肪酸（炭素数６〜２２、たとえばラウリン酸、ヤシ油脂肪酸、オレイン酸）ソルビタンエステル〔ヤシ油脂肪酸ソルビタン、モノステアリン酸ソルビタン、モノオレイン酸ソルビタンなど〕、ポリ（ｎ＝５〜３０）オキシエチレン脂肪酸（炭素数６〜２２、たとえばラウリン酸、モノステアリン酸、モノオレイン酸）ソルビタン〔ポリオキシエチレン（ｎ＝２０）ヤシ油脂肪酸ソルビタン、ポリオキシエチレン（ｎ＝２０）モノステアリン酸ソルビタン、ポリオキシエチレン（ｎ＝２０）モノオレイン酸ソルビタンなど〕、ポリ（ｎ＝５〜１００）オキシエチレン脂肪酸（炭素数６〜２２、たとえばラウリン酸、モノステアリン酸、モノオレイン酸）エステル〔ポリオキシエチレン（ｎ＝９）ステアリン酸エステル、ポリオキシエチレン（ｎ＝９）モノステアリン酸エステル、ポリオキシエチレン（ｎ＝４．５）ジラウリン酸エステル、ポリオキシエチレン（ｎ＝２３）ジオレイン酸エステルなど〕、テトロニック型非イオン界面活性剤〔ポリアミン、たとえばエチレンジアミンのＰＯ（４〜２０モル）付加物のＥＯ付加物など〕、アミンオキシド（ラウリルジメチルアミンオキシド、ドデシルジメチルアミンオキシドなど）などが挙げられる。
【００４２】
上記非イオン界面活性剤（Ｃ）のＨＬＢ（Ｈｙｄｒｏｐｈｉｌｅ−Ｌｉｐｏｐｈｉｌｅ  Ｂａｌａｎｃｅ）（グリフィンのＨＬＢ）は通常５〜２０、洗浄性および後述するシリコーンオイル（Ｄ）の可溶化の観点から好ましくは８〜１６である。
【００４３】
上記（Ｃ）として好ましい（Ｃ１）〜（Ｃ３）は単独使用または併用のいずれでもよいが、シリコーンオイル（Ｄ）の可溶化の観点から（Ｃ２）単独または（Ｃ２）を含む〔（Ｃ）中の１０重量％以上〕併用が好ましく、また、非イオン界面活性剤（Ｃ）中の（Ｃ１）、（Ｃ２）および／または（Ｃ３）の含量は、通常５０〜１００重量％、殺菌性、洗浄性およびシリコーンオイル（Ｄ）の可溶化の観点から好ましくは７０〜１００重量％である。
【００４４】
シリコーンオイル（Ｄ）としては、ジメチルポリシロキサン（平均重合度３〜１，０００）（Ｄ１）および／または下記一般式（６）で示されるフッ素変性シリコーン（Ｄ２）、アルキル変性シリコーン（Ｄ３）、エポキシ変性シリコーン（Ｄ４）、ポリエーテル変性シリコーン（Ｄ５）、アルコール変性シリコーン（Ｄ６）、アルコキシ変性シリコーン（Ｄ７）およびアミノ変性シリコーン（Ｄ８）からなる群から選ばれる１種または２種以上の混合物が挙げられる。
【００４５】
【化９】
0003549815.tif 000007
【００４６】
｛式中、Ｒ７〜Ｒ１１の少なくとも１つはフェニル基、炭素数２〜２０のアルキル基、炭素数７〜１０のアラルキル基、炭素数３〜２０のフルオロアルキル基（たとえばトリフルオロアルキル基）、グリシジル基、炭素数４〜２４のグリシジルアルキル基、−（ＣＨ２）ｄ−Ｏ−（Ｃ２Ｈ４Ｏ）ｅ（Ｃ３Ｈ６Ｏ）ｆ−Ｒ１２（Ｒ１２はＨまたは炭素数１〜２０のアルキル基）、炭素数１〜６のヒドロキシアルキル基およびアミノ基含有有機基［下記式（７）または（８）で示される基］からなる群から選ばれる１種または２種以上、残りはメチル基でもよい；ａ、ｂ、ｃは合計が１〜２万となる０または１以上の整数；ｄは０〜６の整数；ｅ、ｆは合計が０または１〜１００となる０または１以上の整数；Ｍｅはメチル基を表す。
【００４７】
【化１０】
0003549815.tif 000008
【００４８】
【化１１】
0003549815.tif 000009
【００４９】
［式中、Ｒ１３は炭素数１〜１０の２価の炭化水素基、Ｒ１４は直接結合、オキシエチレン基またはオキシプロピレン基、Ｒ１５は直接結合または−ＮＨＣＨ２ＣＨ２−基、Ｒ１６およびＲ１７はＨまたは炭素数１〜１０の１価の炭化水素基、ｇおよびｈは１〜８の整数、Ｚ−はハロゲンイオンまたは有機アニオン（カルボン酸、スルホン酸、フォスフェートおよび硫酸エステルなどのアニオンなど）を表す。］｝
【００５０】
これらのうちでペットのブラッシング時の櫛通り性の観点から好ましいのは、（Ｄ１）、（Ｄ５）、およびとくに（Ｄ８）である。
【００５１】
本発明の組成物において、（Ａ）、（Ｂ）、（Ｃ）および（Ｄ）の重量比は殺菌・消臭・防臭・洗浄・櫛通り性の観点から好ましくは（１０〜８０）／（１０〜８０）／（１〜５０）／（１〜５０）、さらに好ましくは（２０〜６０）／（２０〜６０）／（５〜２５）／（５〜２５）である。
また、本発明の組成物において、（Ａ）／（Ｂ）の重量比は殺菌・消臭・防臭性の観点から好ましくは（９０／１０）〜（３０／７０）、さらに好ましくは（７０／３０）〜（４０／６０）である。
さらに、本発明の組成物中の〔（Ａ）＋（Ｂ）〕／〔（Ｃ）＋（Ｄ）〕の重量比は、要求される性能に応じて種々変えることができるが、相乗的に増強された殺菌・防臭・消臭・洗浄・櫛通り性が発現する観点から、好ましくは（９５／５）〜（５０／５０）、とくに（８５／１５）〜（６０／４０）である。
【００５２】
本発明の組成物は、通常、（Ａ）、（Ｂ）、（Ｃ）および（Ｄ）が水に溶解された原液〔（Ａ）、（Ｂ）、（Ｃ）および（Ｄ）の合計重量の水溶液濃度は通常０．０１〜５０重量％、好ましくは０．１〜３０重量％、さらに好ましくは０．５〜２０重量％〕の形態で供給され、布・不織布・紙などに浸み込ませる時、原液を１〜１００倍、好ましくは１０〜５０倍に希釈した液として用いられる。
【００５３】
本発明の組成物において、（Ａ）に代えて、または（Ａ）とともに、米国特許第３，９２９，６７８号明細書に記載のカチオン界面活性剤〔アルキル（炭素数８〜２４）ジメチルベンジルアンモニウム塩（ラウリルジメチルベンジルアンモニウムクロライド、ミリスチルジメチルベンジルアンモニウムクロライドなど）、ジアルキル（アルキル基の炭素数６〜２０）ジメチルアンモニウム塩（ジデシルジメチルアンモニウムアジピン酸塩、ジデシルジメチルアンモニウムグルコン酸塩など）およびアルキル（炭素数８〜２４）ピリジニウム塩（セチルピリジニウムクロライドなど）など〕を使用することができる。
（Ａ）とともに上記カチオン界面活性剤を使用する場合の（Ａ）／カチオン界面活性剤の重量比は、好ましくは９０／１０〜１０／９０、さらに好ましくは７０／３０〜４０／６０である。
【００５４】
また、本発明の組成物には、必要により本発明の効果を妨げない範囲でｐＨ調整剤〔アミン［炭素数２〜４のアルカノールアミン、たとえばモノエタノールアミン、ジエタノールアミン］、無機アルカリ剤（苛性ソーダ、苛性カリなど）、有機酸［カルボン酸、オキシカルボン酸（炭素数１〜１０、たとえば乳酸、クエン酸、グルコン酸）など］、無機酸（塩酸、硫酸、硝酸およびリン酸など）など〕、キレート剤（エチレンジアミン四酢酸ナトリウム、ポリリン酸ナトリウムおよびメタリン酸ナトリウムなど）；皮膚保護剤〔ポリエチレングリコール（重量平均分子量２００〜２０，０００）、ソルビトール、ヒアルロン酸ナトリウム、ビタミンなど〕；低温安定化剤〔低分子（炭素数１〜４）モノオール（エタノール、イソプロピルアルコールなど）、低分子（炭素数２〜６）多価（２価または３価）アルコール（エチレングリコール、プロピレングリコール、グリセリンなど）など〕；防腐剤〔パラ安息香酸アルキル（炭素数１〜５）エステル、安息香酸、デヒドロ酢酸など〕；香料（リモネン、フェニルエチルアルコールおよびヘキシルシンナミックアルデヒドなど）；および色素（食添青色１号、食添赤色２号および食添黄色４号など）などの添加剤を含有させることができる。
【００５５】
これら添加剤は（Ａ）、（Ｂ）、（Ｃ）および（Ｄ）の合計重量に基づいて、皮膚保護剤および低温安定化剤の含有量は通常それぞれ２０％以下、好ましくは０〜５％、ｐＨ調整剤およびキレート剤の含有量は通常それぞれ５％以下、好ましくは０〜２％、防腐剤、香料および色素の含有量は通常それぞれ１％以下、好ましくは０〜０．５％である。
【００５６】
本発明のペット用殺菌消臭清拭剤水溶液組成物は、犬、猫等のペット用殺菌消臭清拭剤として有用である。この用途に使用する場合、通常、原液または希釈液を布、不織布、紙などに浸み込ませるか、あるいはペットに直接スプレーして布、不織布、紙などで拭き取るような使い方ができる。
【００５７】
【実施例】
以下、実施例により本発明を更に詳細に説明するが、本発明はこれに限定されるものではない。実施例中の表１の処方の数値は重量％を示す。
【００５８】
実施例１〜７および比較例１〜４表１に示す処方により実施例１〜７および比較例１〜４のペット用殺菌消臭清拭剤水溶液組成物を作成した。尚、表１中の記号で記載した成分は下記の通りである。
Ａ−１ ：ヤシ油アルキルジ（アミノエチル）グリシン〔等電点：9.0〕
Ｂ１-１：ラウリルアミノプロピオン酸ナトリウム〔等電点：4.0〕
Ｂ２-１：ラウリルジメチルアミノ酢酸ベタイン〔等電点：5.0〕
Ｂ２-２：ヤシ油脂防酸アミドプロピルジメチルアミノ酢酸ベタイン〔等電点：5.0〕
Ｃ２-１：ポリオキシエチレン(EO:9モル）ヤシ油アルキルエーテルＣ２-２：ポリオキシエチレン(EO:5モル）ヤシ油アルキルエーテルＣ３-１：ポリオキシエチレン(EO:2モル)ヤシ油脂防酸モノエタノールアミドＤ１-１：ポリシロキサンＤ５-１：ポリエーテル変性シリコンＤ８-１：アミノ変性シリコン
【００５９】
【表１】
0003549815.tif 000010
【００６０】
実施例１〜７および比較例１〜４で得られたペット用殺菌消臭清拭剤水溶液組成物について以下の試験方法により性能評価を行った。その結果を表２に示す。
【００６１】
〈製剤安定性試験〉
仕上がった製剤を４０℃で１ヶ月間静置し、目視により外観を観察した。
（判定基準）
○：透明均一液状
×：分離もしくは沈殿が認められる
【００６２】
〈殺菌性試験〉
本試験は東京大学医科学研究所学友会編「微生物学実習概要」の希釈法に準じたもので、各組成物の最小発育阻止濃度を求める試験である。
即ち、各組成物を滅菌水で１５．６倍に希釈し、順次２倍希釈して１０段階の希釈液を作成した。一方普通ブイヨン培地で培養した菌懸濁液を準備し、先に準備した組成物希釈液０．５ｍｌと普通ブイヨン培地４．５ｍｌおよび菌懸濁液２０μｌを混ぜ、３７℃で２４時間振盪培養した。
２４時間培養後、菌の生存の有無を外観の濁りで判断し、濁りの発生しない最小の濃度を最小発育阻止濃度として求めた。
なお、菌には黄色ブドウ球菌〔殺菌性（１）〕、緑膿菌〔殺菌性（２）〕を使用した。
（判定基準）
◎：最小発育阻止濃度  ８００ｐｐｍ以下
○：最小発育阻止濃度  ８００ｐｐｍ超，３２００ｐｐｍ以下
×：最小発育阻止濃度  ３２００ｐｐｍ超
【００６３】
〈消臭性試験〉
本試験はペット等の臭いの主要因であるアンモニアと酪酸に対する消臭性を臭気指数計を用いて測定する試験である。
即ち、各組成物の５倍希釈水溶液とアンモニア１５％と酪酸２％の混合水溶液の等量をサンプル瓶に取り、よく混合した後に臭気指数計で臭いを測定した。
組成物水溶液の代わりに水を用いたものをブランクとして消臭率を算出した。その計算式は次の通り。
消臭率（％）＝〔（Ｂ−Ａ）／Ｂ〕×１００
Ａ：サンプル臭気指数
Ｂ：ブランク臭気指数
（判定基準）
◎：消臭率  ７５％以上
○：消臭率  ５０％以上，７５％未満
×：消臭率  ５０％未満
【００６４】
〈犬の毛の櫛通り試験〉本ペット用殺菌消臭清拭剤水溶液組成物の１０倍希釈液をマルチーズにスプレーし、ブラッシングした時の櫛通り性を試験した。
（判定基準）
◎：非常に良好(スムーズにブラッシングできる)○：多少引っ掛かるが，問題なし×：櫛通りが悪い
【００６５】
【表２】
0003549815.tif 000011
【００６６】
表２から明らかなように、本発明の組成物はいずれも、長期保存しても分離したり、沈殿を生ずることがなく、殺菌性に優れているため臭気発生原因である微生物を殺菌することにより臭気発生を防ぐことができ、両性界面活性剤（Ａ）と（Ｂ）を併用することにより既に存在している臭いを消臭する効果が相乗的に改善され、ブラッシングの時の櫛通り性も良好である。
【００６７】
【発明の効果】
本発明のペット用殺菌消臭洗浄剤水溶液組成物は下記の効果を有する。
（１）殺菌効果に優れ、長期に亘り防臭性が確保できる。
（２）消臭性に優れる。
（３）ペットを拭いたあとの櫛通り性に優れる。
上記効果を奏することから本発明のペット用殺菌消臭清拭剤水溶液組成物は、清拭することにより対象物の臭いをとり、かつ臭いの発生を長期に亘り抑え、またペットなどを拭いた後のブラッシングにおいて櫛通りがよくなる清拭剤組成物としてきわめて有用である。また、畜産分野等における畜体・設備・環境の殺菌消臭剤としても有用である。